(57)【要約】【課題】浴室用品をユーザーにとって最適な位置に着脱自在に配置でき、浴室用品の配置位置をユーザーの使い勝手に合わせて自在に変更でき、浴室壁面を容易に清掃して常に清潔に保つことができる浴室壁用フックを提供する。【解決手段】浴室壁用フック１０は、浴室壁３に固定された固定部２０と、浴室壁と直角方向に移動可能に且つ離脱しないように固定部に支持された移動部２１とを備える。浴室用品を支持するときは、移動部を引張り出すことにより固定部との間に隙間ｄを形成して隙間に浴室用品を係合させて支持する。浴室用品を支持しないときは、移動部を、指で固定部側に押込むことにより固定部に密着させた状態で位置決めされ保持する。【選択図】図５
2010110361.tif 000002
【特許請求の範囲】
【請求項１】
浴室壁に所定の配列で複数個取付けられて浴室用品を支持するための浴室壁用フックであって、
前記浴室壁に固定された固定部と、
前記浴室壁と直角方向に移動可能に且つ離脱しないように前記固定部に支持された移動部とを備え、
前記浴室用品を支持するときは、前記移動部を引張り出すことにより前記固定部との間に隙間を形成してこの隙間に前記浴室用品を係合させて支持し、
前記浴室用品を支持しないときは、前記移動部を、前記固定部側に押込むことによりこの固定部に密着させた状態で位置決めされ保持するようにしたことを特徴とする浴室壁用フック。
【請求項２】
請求項１に記載の浴室壁用フックであって、
前記固定部は、前記浴室壁に密着して取付けられた支持板と、この支持板に支持された固定側筒状部と、この固定側筒状部と前記支持板を前記浴室壁に固定するための締結部材とを有し、
前記移動部は、前記固定側筒状部に前記直角方向に移動可能に嵌合する移動側筒状部と、この移動側筒状部を覆って取付けられたキャップとを有し、
前記移動部を引張り出した状態で前記隙間を維持するように、この移動部を保持するための引張り側係止手段を、前記固定部と前記移動部に形成し、
前記移動部を押込んだ状態で、この移動部が前記支持板に密着するように前記移動部を保持するための押込み側係止手段を、前記固定部と前記移動部に形成したことを特徴とする浴室壁用フック。
【請求項３】
請求項２に記載の浴室壁用フックであって、
前記引張り側係止手段は、前記固定側筒状部と前記移動側筒状部とのいずれか一方または他方にそれぞれ形成された引張り側溝とこの溝に係合離脱可能に係合する突出部とを有し、
前記押込み側係止手段は、前記固定側筒状部と前記移動側筒状部とのいずれか一方または他方にそれぞれ形成された押込み側溝とこの溝に係合離脱可能に係合する突出部とを有していることを特徴とする浴室壁用フック。
【請求項４】
請求項１，２または３に記載の浴室壁用フックであって、前記移動部には、指を引っ掛けて手前に引張るための切欠き部が形成されていることを特徴とする浴室壁用フック。
【請求項５】
請求項４に記載の浴室壁用フックであって、前記切欠き部は前記移動部の下方に位置していることを特徴とする浴室壁用フック。
【請求項６】
請求項４に記載の浴室壁用フックであって、
前記移動部には複数の前記切欠き部が形成され、これら複数の切欠き部は、前記移動部の上部を除く所定の複数個所に位置していることを特徴とする浴室壁用フック。
【請求項７】
請求項１ないし６のいずれかの項に記載の前記複数個の浴室壁用フックが前記浴室壁に所定の配列で取付けられて前記浴室用品を支持することが可能であることを特徴とする浴室壁用フックを有する浴室。
【請求項８】
請求項１ないし６のいずれかの項に記載の浴室壁用フックを使用する方法であって、
前記浴室壁に水平に並んで取付けられた少なくとも二つの前記浴室壁用フックを選択し、
この選択された浴室壁用フックの各前記移動部を引張り出すことにより前記固定部との間に前記隙間を形成し、この隙間に前記浴室用品を係合させることによりこの浴室用品を所定位置に配置し、
選択されない全ての前記浴室壁用フックについては、各前記移動部を、前記固定部側に押込んでこの固定部に密着させた状態で位置決めされ保持することを特徴とする浴室壁用フックの使用方法。
【発明の詳細な説明】
【技術分野】
【０００１】
本発明は、浴室用品を支持するための浴室壁用フック，これを有する浴室および浴室壁用フックの使用方法に関する。
【背景技術】
【０００２】
特許文献１（特開２００３−９７０６９号公報）には、棚やシャワーフックなどの壁面用機能部材（すなわち、浴室用品）の位置の変更や増設などを容易に行うことができる浴室ユニットが記載されている。
この浴室ユニットは、支持レールが浴室壁面に水平に固定されており、この支持レールには、壁面用機能部材の係止部が着脱自在に係止されて、壁面用機能部材を壁面に沿って支持している。
【特許文献１】特開２００３−９７０６９号公報
【発明の開示】
【発明が解決しようとする課題】
【０００３】
特許文献１に記載の浴室ユニットにおける支持レールは、浴室壁面に取付けられているので浴室内に常に出っ張っている。そのため、支持レールが浴室壁面の清掃の邪魔になりがちであり、また、浴室壁面から支持レールが飛び出ているので見栄えもよくなかった。
また、支持レールの数をそれほど増やすことはできないので、壁面用機能部材を、ユーザーにとって最適な位置に配置しようとしてもある程度制約があった。
【０００４】
本発明は、このような課題を解決するためになされたもので、浴室用品をユーザーにとって最適な位置に着脱自在に見栄えよく配置したり、ひもを付けた浴室用品を浴室壁用フックに簡単に引っ掛けたりすることができ、また、浴室用品の配置位置をユーザーの使い勝手に合わせていつでも自在に変更することができ、さらに、浴室壁面を容易に清掃して常に清潔に保つことができる浴室壁用フック，これを有する浴室および浴室壁用フックの使用方法を提供することを目的とする。
【課題を解決するための手段】
【０００５】
上述の目的を達成するため、本発明にかかる浴室壁用フックは、浴室壁に所定の配列で複数個取付けられて浴室用品を支持するための浴室壁用フックであって、前記浴室壁に固定された固定部と、前記浴室壁と直角方向に移動可能に且つ離脱しないように前記固定部に支持された移動部とを備え、前記浴室用品を支持するときは、前記移動部を引張り出すことにより前記固定部との間に隙間を形成してこの隙間に前記浴室用品を係合させて支持し、前記浴室用品を支持しないときは、前記移動部を、前記固定部側に押込むことによりこの固定部に密着させた状態で位置決めされ保持するように構成している。
前記固定部は、前記浴室壁に密着して取付けられた支持板と、この支持板に支持された固定側筒状部と、この固定側筒状部と前記支持板を前記浴室壁に固定するための締結部材とを有し、前記移動部は、前記固定側筒状部に前記直角方向に移動可能に嵌合する移動側筒状部と、この移動側筒状部を覆って取付けられたキャップとを有し、前記移動部を引張り出した状態で前記隙間を維持するように、この移動部を保持するための引張り側係止手段を、前記固定部と前記移動部に形成し、前記移動部を押込んだ状態で、この移動部が前記支持板に密着するように前記移動部を保持するための押込み側係止手段を、前記固定部と前記移動部に形成するのが好ましい。
また、前記引張り側係止手段は、前記固定側筒状部と前記移動側筒状部とのいずれか一方または他方にそれぞれ形成された引張り側溝とこの溝に係合離脱可能に係合する突出部とを有し、前記押込み側係止手段は、前記固定側筒状部と前記移動側筒状部とのいずれか一方または他方にそれぞれ形成された押込み側溝とこの溝に係合離脱可能に係合する突出部とを有しているのが好ましい。
前記移動部には、指を引っ掛けて手前に引張るための切欠き部が形成されているのが好ましい。前記切欠き部は前記移動部の下方に位置しているのが好ましい。
また、前記移動部には複数の前記切欠き部が形成され、これら複数の切欠き部は、前記移動部の上部を除く所定の複数個所に位置している場合であってもよい。
本発明にかかる浴室壁用フックを有する浴室は、前記複数個の浴室壁用フックが前記浴室壁に所定の配列で取付けられて前記浴室用品を支持することが可能である浴室である。
本発明にかかる浴室壁用フックの使用方法は、前記浴室壁に水平に並んで取付けられた少なくとも二つの前記浴室壁用フックを選択し、この選択された浴室壁用フックの各前記移動部を引張り出すことにより前記固定部との間に前記隙間を形成し、この隙間に前記浴室用品を係合させることによりこの浴室用品を所定位置に配置し、選択されない全ての前記浴室壁用フックについては、各前記移動部を、前記固定部側に押込んでこの固定部に密着させた状態で位置決めされ保持する。
【発明の効果】
【０００６】
本発明にかかる浴室壁用フック，これを有する浴室および浴室壁用フックの使用方法は、上述のように構成したので、浴室用品をユーザーにとって最適な位置に着脱自在に見栄えよく配置したり、ひもを付けた浴室用品を浴室壁用フックに簡単に引っ掛けたりすることができ、また、浴室用品の配置位置をユーザーの使い勝手に合わせていつでも自在に変更することができ、さらに、浴室壁面を容易に清掃して常に清潔に保つことができる。
【発明を実施するための最良の形態】
【０００７】
下記の実施例にかかる浴室壁用フック（以下、フックと記載）は、浴室壁に所定の配列で複数個取付けられて浴室用品を支持している。フックは、浴室壁に固定された固定部と、浴室壁と直角方向に移動可能に且つ離脱しないように固定部に支持された移動部とを備えている。
フックは、浴室用品を支持するときは、移動部を引張り出すことにより固定部との間に隙間を形成してこの隙間に浴室用品を係合させて支持する。また、フックは、浴室用品を支持しないときは、移動部を、固定部側に押込んで固定部に密着させた状態で位置決めされ保持する。
前記構成のフックを使用すれば、浴室用品をユーザーにとって最適な位置に着脱自在に見栄えよく配置したり、ひもを付けた浴室用品をフックに簡単に引っ掛けたりすることができ、また、浴室用品の配置位置をユーザーの使い勝手に合わせていつでも自在に変更することができ、さらに、浴室壁面を容易に清掃して常に清潔に保つという目的を実現している。
【０００８】
本発明における浴室は、ユニットバスまたはシステムバスルームなどと呼ばれてユニット化された構成の浴室ユニットの他に、ユニット化されていない通常の浴室であってもよい。下記の実施例では、浴室ユニットの場合を例にとって説明する。本発明における浴室は、一戸建て住宅，集合住宅，ホテルなどに設置される。
【実施例】
【０００９】
以下、本発明にかかる一実施例を、図１ないし図９を参照して説明する。
図１は、浴室ユニットの内部を示す部分斜視図、図２は、洗剤用ラックを上から見たときの斜視図、図３は、洗剤用ラックを下からみたときの斜視図である。
図４は、浴室壁に取付けられた浴室壁用フックの断面図で、移動部を押込んだ状態を示している。図５は、浴室壁に取付けられた浴室壁用フックの断面図で、移動部を引張り出した状態を示している。
図６は、洗剤用ラックを浴室壁用フックに取付ける手順を示す断面図である。図７，図８は、それぞれ実施例にかかる浴室用フックの斜視図，分解斜視図である。図９は、変形例にかかる浴室用フックの斜視図で、図７相当図である。
【００１０】
図１ないし図６に示すように、浴室としての浴室ユニット１は、床面を形成する防水パン２と、防水パン２の外周部に立設された浴室壁３と、浴室壁３の上部を覆って取付けられた図示しない天井（すなわち、天井パネル）とを有している。浴室ユニット１の内部には、浴槽４，洗い場５，浴室用品６，シャワー設備７などが設けられている。
浴室壁３には、浴室用品６を支持するための複数個の浴室壁用フック１０，１０ａ（以下、本実施例にかかる浴室壁用フック１０はフック１０と、変形例にかかる浴室壁用フック１０ａはフック１０ａと、それぞれ記載）が、所定の配列で取付けられている。
浴室用品６としては、シャンプー，リンス，石鹸などを収納するための洗剤用ラックやカウンターなどがあるが、本実施例では、浴室用品として洗剤用ラック６の場合を示している。
【００１１】
複数個のフック１０（または、フック１０ａ）は、複数段（ここでは、上段，中段，下段の３段）にそれぞれ水平方向に所定のピッチＰで配列され、上下方向にも並んで複数列（ここでは、浴室壁３の同一面に対して４列）配置されている。
その結果、複数個（ここでは、浴室壁３の同一面に対して１２個）のフック１０，１０ａが、縦横方向にマトリックス状に規則的に配列されている。なお、複数個のフック１０，１０ａの配列状態は、たとえば、千鳥状やその他の配列であってもよい。
【００１２】
浴室ユニット１では、複数個のフック１０，１０ａが浴室壁３に所定の配列で取付けられて洗剤用ラック６を支持することが可能になっている。
洗剤用ラック６は、上方が開放された有底の略矩形状をなしており、底板４０には水抜き４１が形成されている。洗剤用ラック６の背面側の側板４２には、複数（ここでは、二つ）のスリット４３が形成されている（図２，図３）。
スリット４３は、下方側に開放された切欠きになっており、このスリット４３がフック１０，１０ａに着脱可能に係合するようになっている。二つのスリット４３は、隣合うフック１０，１０ａの水平方向のピッチＰと同じ寸法だけ離れて形成されている。
【００１３】
図１ないし図９に示すように、フック１０，１０ａは、浴室壁３に固定された固定部２０と、浴室壁３と直角方向（Ｂ方向）に移動可能に且つ離脱しないように固定部２０に支持された移動部２１（または、移動部２１ａ）とを備えている。
フック１０，１０ａは、洗剤用ラック６を支持するときは、移動部２１，２１ａを引張り出すことにより固定部２０との間に隙間ｄを形成して、この隙間ｄに洗剤用ラック６を係合させて支持する。
また、フック１０，１０ａは、洗剤用ラック６を支持しないときは、移動部２１，２１ａを固定部２０側に指で押込むことにより、移動部２１，２１ａを固定部２０に密着させた状態で位置決めされ保持するようにしている。
これにより、洗剤用ラック６を、ユーザーにとって最適な位置に着脱自在に見栄えよく配置したり、ひもを付けた浴室用品をフック１０，１０ａに簡単に引っ掛けたりすることができる。また、洗剤用ラック６の配置位置を、ユーザーの使い勝手に合わせていつでも自在に変更することができ、さらに、浴室壁３の壁面を容易に清掃して常に清潔に保つことができる。
【００１４】
フック１０，１０ａの固定部２０は、浴室壁３に密着して取付けられた支持板２２と、支持板２２に支持される固定側筒状部２３と、固定側筒状部２３と支持板２２を浴室壁３に固定するための締結部材としてのねじ２４とを有している。
固定部２０は簡素な構成であるので、ねじ２４により浴室壁３に容易に取付けることができる。移動部２１，２１ａは、固定側筒状部２３に前記直角方向（矢印Ｂ方向）に移動可能に嵌合する移動側筒状部２５（または、移動側筒状部２５ａ）と、移動側筒状部２５，２５ａを覆って取付けられたキャップ２７（または、キャップ２７ａ）とを有している。
移動側筒状部２５，２５ａが固定側筒状部２３に対して嵌合しているので、移動部２１，２１ａは固定部２０に対してスムーズに進退移動することができる。
【００１５】
フック１０，１０ａの移動部２１，２１ａを引張り出した状態で隙間ｄを維持するように移動部２１，２１ａを保持するための引張り側係止手段２８が、固定部２０と移動部２１，２１ａに形成されている。これにより、移動部２１，２１ａを引張り出すと、隙間ｄを形成した状態で移動部２１，２１ａが位置決めされ保持される。
移動部２１，２１ａを押込んだ状態で、移動部２１，２１ａが支持板２２に密着するように、移動部２１，２１ａを保持するための押込み側係止手段２９が、固定部２０と移動部２１，２１ａに形成されている。
この状態で、移動部２１，２１ａは固定部２０側に移動して位置決めされて保持され、また、移動部２１，２１ａが支持板２２に密着するので、フック１０，１０ａ内に水などが浸入するのを防止することができる。
【００１６】
引張り側係止手段２８は、固定側筒状部２３と移動側筒状部２５，２５ａとのいずれか一方または他方にそれぞれ形成された、引張り側溝３０とこの溝３０に係合離脱可能に係合する突出部３１とを有している。
本実施例と変形例では、固定側筒状部２３の外周面に円環状の引張り側溝３０が形成され、移動側筒状部２５，２５ａに円環状の突出部３１が形成されている。移動側筒状部２５，２５ａが弾性変形することにより、突出部３１が引張り側溝３０に容易に係合離脱することができるようになっている。なお、固定側筒状部２３に突出部を形成し、移動側筒状部２５，２５ａに引張り側溝を形成した場合であってもよい。
【００１７】
押込み側係止手段２９は、固定側筒状部２３と移動側筒状部２５，２５ａとのいずれか一方または他方にそれぞれ形成された、押込み側溝３２とこの溝３２に係合離脱可能に係合する突出部３１とを有している。
本実施例と変形例の押込み側係止手段２９では、固定側筒状部２３に円環状の押込み側溝３２が形成され、移動側筒状部２５，２５ａに円環状の突出部３１が形成されている。移動側筒状部２５，２５ａの突出部３１は、引張り側係止手段２８と押込み側係止手段２９の両方をそれぞれ構成した同一の突出部である。移動側筒状部２５，２５ａが弾性変形することにより、突出部３１が押込み側溝３２に容易に係合離脱することができるようになっている。
なお、押込み側係止手段２９において、固定側筒状部２３に突出部を形成し、移動側筒状部２５，２５ａに押込み側溝を形成した場合であってもよい。
【００１８】
このように、フック１０，１０ａに引張り側係止手段２８と押込み側係止手段２９とを設けたので、移動部２１，２１ａを、引張り出して隙間ｄを形成した状態で安定した状態で位置決めされ保持し、また、移動部２１，２１ａを押込んで隙間ｄをなくした状態で、移動部２１，２１ａを安定した状態で位置決めされ保持することができる。
【００１９】
移動部２１，２１ａには、ユーザーが指を引っ掛けて手前に引張るための切欠き部２６が形成されている。なお、「切欠き部２６に指を引っ掛ける」という行為には、指または爪（または、指でつまんだコイン）を切欠き部２６に引っ掛ける場合や、指または爪（または、指でつまんだコイン）を切欠き部２６に入れて移動部２１，２１ａに引っ掛ける場合などがある。
フック１０，１０ａは、それ自体が目立たないようにするためにサイズが小さくなっており、また隙間ｄも狭いが、切欠き部２６を移動部２１，２１ａに形成することにより、この切欠き部２６を利用して移動部２１，２１ａを容易に手前に引き出すことができる。
切欠き部２６を移動部２１，２１ａに形成したので、切欠き部２６に指を引っ掛けて手前に引けば、移動部２１，２１ａの引き出し位置を容易に確保することができ、また、フック１０，１０ａ自体から外方に突出する部材はなくなり、フック１０，１０ａは目立たない。
切欠き部２６は、移動部２１，２１ａのキャップ２７，２７ａと移動側筒状部２５，２５ａに形成されているが、キャップ２７，２７ａのみに形成されている場合であってもよい。
【００２０】
図７に示す実施例にかかるフック１０では、移動部２１の切欠き部２６は、移動部２１の下方に位置している。この切欠き部２６は、目で直接見なくても指をスムーズに引っ掛けやすいように、移動部２１の下方側に比較的広く開放された弧状をなしている。
切欠き部２６が、移動部２１の下方に位置しているので、フック１０に水がかかっても、切欠き部２６に水が溜まったままになることはなく清潔であり、また、切欠き部２６が外部から目立たず、フック１０の見栄えがよい。
【００２１】
変形例にかかるフックでは、移動部には複数の切欠き部２６が形成され、これら複数の切欠き部２６は、移動部の上部を除く所定の複数個所に位置している。
移動部に切欠き部２６が複数形成されているので、小さいサイズのフックでもユーザーはすぐに切欠き部２６の位置を見付けることができ、この切欠き部２６に容易に指を引っ掛けて、移動部を手前に引張り出すことができる。
また、切欠き部２６は、移動部の上部を除く所定の複数個所に位置しているので、フックに水がかかっても、切欠き部２６に水が溜まったままになることはなく清潔である。
【００２２】
図９に示すフック１０ａの移動部２１ａには、三つの切欠き部２６が形成されている。これら三つの切欠き部２６は、水が溜まらないように移動部２１ａの上部を除いて、周方向に１２０度ずつ離れて３個所に均等に位置している。
切欠き部２６は、目で直接見なくても指をスムーズに引っ掛けやすいように、移動部２１ａの中心軸線から放射方向外方側に比較的広く開放された弧状をなしている。
フック１０ａの切欠き部２６が、移動部２１ａの上部を除く３個所に位置しているので、フック１０ａに水がかかっても、切欠き部２６に水が溜まったままになることはなく清潔である。
三つの切欠き部２６が、移動部２１ａの周方向に１２０度ずつ離れて３個所に均等に位置しているので、外観的にフック１０ａの見栄えがよい。
【００２３】
他の変形例にかかるフック（図示せず）では、移動部に形成された合計三つの切欠き部２６のうち、二つの切欠き部２６が移動部の両サイドに位置し、一つの切欠き部２６が移動部の下方に位置している。この場合でも、図９に示すフック１０ａと同じ作用効果を奏する。
【００２４】
次に、フック１０，１０ａの動作について説明する。
図４に示すように、フック１０，１０ａの移動部２１，２１ａが、固定部２０側に押込まれて押込み側係止手段２９により位置決めされ保持されている。
この状態のとき、移動部２１，２１ａの切欠き部２６に指を引っ掛けて、図５に示すように矢印Ｃ方向（手前方向）に引張る。すると、支持板２２と移動部２１，２１ａとの間に隙間ｄが形成され、この状態で、移動部２１，２１ａは、引張り側係止手段２８により位置決めされ保持される。同じようにして、複数個（ここでは、合計二つ）のフック１０，１０ａの各移動部２１，２１ａを引張り出した状態にする。
【００２５】
次いで、図６（Ａ）に示すように、洗剤用ラック６を、移動部２１，２１ａが引張り出されたフック１０，１０ａの上部に持っていく。図６（Ｂ）において、洗剤用ラック６を、矢印Ｄに示すように下方に移動させて、後側の側板４２をフック１０，１０ａの隙間ｄに挿入するとともに、スリット４３をフック１０，１０ａの固定部２０に係合させる。
このとき、複数のスリット４３は寸法Ｐ（すなわち、隣合うフック１０，１０ａのピッチＰと同一寸法）だけ離して形成されている。したがって、洗剤用ラック６のスリット４３をフック１０，１０ａの隙間ｄに挿入して、スリット４３をフック１０，１０ａの固定部２０に係合させることにより、洗剤用ラック６を複数のフック１０，１０ａに係止させることができる。
さらに洗剤用ラック６を下方に押込むと、スリット４３の上端部がフック１０，１０ａの固定部２０に当接する。これにより、図６（Ｃ）に示すように、洗剤用ラック６は、複数個（ここでは、二つ）のフック１０，１０ａに支持された状態で水平に配置される。
【００２６】
次に、このフック１０，１０ａの使用方法について説明する。
ユーザーが洗剤用ラック６を最適な位置に配置したい場合には、浴室壁３に水平に並んで取付けられた少なくとも二つ（ここでは、二つ）のフック１０，１０ａを選択する。この選択されたフック１０，１０ａの各移動部２１，２１ａを、切欠き部２６に指を引っ掛けて手前に引張り出すことにより、移動部２１，２１ａと固定部２０との間に隙間ｄを形成する。
そして、この隙間ｄに洗剤用ラック６を挿入して係合させることにより、この洗剤用ラック６を所定位置に配置する。
選択されない全てのフック１０，１０ａについては、移動部２１，２１ａを、固定部２０側に押込んでこの固定部２０に密着させた状態で位置決めされ保持する。
【００２７】
このようにしてフック１０，１０ａを使用すれば、洗剤用ラック６をユーザーにとって最適な位置に着脱自在に見栄えよく配置することができ、また、ひもを付けた浴室用品をフック１０，１０ａに簡単に引っ掛けることもできる。また、洗剤用ラック６の配置位置を、ユーザーの使い勝手に合わせていつでも自在に変更することができる。
さらに、選択されていないフック１０，１０ａについては、隙間ｄが形成されないように移動部２１，２１ａが固定部２０側に押込まれているので、フック１０，１０ａ自体はコンパクトであり、また、選択されたフック１０，１０ａについても、このフック１０，１０ａに支持されている洗剤用ラック６を簡単に取外すことができる。したがって、浴室壁３を清掃するときにフック１０，１０ａが清掃の邪魔になることは少なく、浴室壁３を容易に清掃して浴室ユニット１を常に清潔に保つことができる。
このように、選択されていないフック１０，１０ａは、移動部２１，２１ａが固定部２０側に押込まれてコンパクトになっており、浴室壁３からそれほど飛び出ていないので、清掃性が良好で見栄えもよい。
また、選択されていないフック１０，１０ａは、隙間ｄが形成されず、移動部２１，２１ａが支持板２２に密着して全体が密閉構造になるので、防水性能を発揮する。
【００２８】
本発明によれば、ユーザーが洗剤用ラック６の配置位置を変更したい場合に、専門業者による工事を行わなくても、ユーザーが自分の好みに合わせて自分自身で洗剤用ラック６の配置位置を自在且つ容易に変更することができる。
【００２９】
以上、本発明の実施例（変形例を含む。以下同じ）を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００３０】
本発明は、一戸建て住宅，集合住宅，ホテルなど建物に設置される浴室ユニットなど浴室に適用可能である。
【図面の簡単な説明】
【００３１】
【図１】図１ないし図９は本発明の一実施例を示す図で、図１は、浴室ユニットの内部を示す部分斜視図である。
【図２】洗剤用ラックを上から見たときの斜視図である。
【図３】洗剤用ラックを下から見たときの斜視図である。
【図４】浴室壁に取付けられた浴室壁用フックの断面図で、移動部を押込んだ状態を示している。
【図５】浴室壁に取付けられた浴室壁用フックの断面図で、移動部を引張り出した状態を示している。
【図６】洗剤用ラックを浴室壁用フックに取付ける手順を示す断面図である。
【図７】実施例にかかる浴室壁用フックの斜視図である。
【図８】実施例にかかる浴室壁用フックの分解斜視図である。
【図９】変形例にかかる浴室用フックの斜視図で、図７相当図である。
【符号の説明】
【００３２】
１      浴室ユニット（浴室）
３      浴室壁
６      洗剤用ラック（浴室用品）
１０，１０ａ    浴室壁用フック
２０    固定部
２１，２１ａ    移動部
２２    支持板
２３    固定側筒状部
２４    ねじ（締結部材）
２５，２５ａ    移動側筒状部
２６    切欠き部
２７，２７ａ    キャップ
２８    引張り側係止手段
２９    押込み側係止手段
３０    引張り側溝
３１    突出部
３２    押込み側溝
Ｂ方向  直角方向
ｄ      隙間
【図１】
2010110361.tif 000003
【図２】
2010110361.tif 000004
【図３】
2010110361.tif 000005
【図４】
2010110361.tif 000006
【図５】
2010110361.tif 000007
【図６】
2010110361.tif 000008
【図７】
2010110361.tif 000009
【図８】
2010110361.tif 000010
【図９】
2010110361.tif 000011